(57)【要約】【課題】携帯しやすく、また災害時等にも役立ち、室内や外出先においても容易に充電することのできるソーラー式の携帯電話機用充電器を提供する。【解決手段】  携帯電話機用充電器のボディにソーラーパネルが備えられ、そのソーラーパネルによって発電して、ボディ内部の蓄電部に蓄電される。またボディ内部には、蓄電部の電圧を昇圧して出力する昇圧回路部を備える。そしてボディに備えられたカバーを回動させて開放させた状態で、ボディのコネクタ部を露出して携帯電話機のコネクタ部に接続させ、蓄電部に蓄電された電気により、携帯電話機を充電する。この場合、蓄電部の電圧が昇圧されて、携帯電話機の充電池を充電することができる。さらにボディに照明用ＬＥＤと充電適否表示用ＬＥＤを備え、蓄電部の充電量が不十分な場合には、ユーザに警告する。【選択図】図１
2006141083.tif 000002
【特許請求の範囲】
【請求項１】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに設けられ、そのボディ内の前記蓄電部から電力の供給を受けて発光する照明用の発光素子と、
前記ボディに設けられてその照明用の発光素子への通電をオン・オフする照明スイッチと、
前記ボディに形成され、前記携帯電話機のコネクタ部に接続されることにより前記ソーラーパネルで発電されて前記ボディ内の前記蓄電部に蓄電されている電気を携帯電話機の充電池に充電するコネクタ部と、
前記コネクタ部を被って閉じられた状態を保持するカバーと、
前記コネクタ部に前記携帯電話機のコネクタ部を挿し込むことにより動作状態となり、前記コネクタ部から前記携帯電話機のコネクタ部を離脱させたときは、前記動作状態よりも低消費電流の動作停止状態となるように構成され、前記蓄電部の電圧を昇圧して出力する昇圧回路部と、を備え、
前記コネクタ部を介しての携帯電話機を充電する充電機能と、前記照明用の発光素子への通電による照明発光機能との両機能を有して、充電器兼携帯ライトの役割を果たすことを特徴とする携帯電話機用充電器。
【請求項２】
前記昇圧回路部は、インダクタの断続スイッチングに基づいて誘導電流を発生させるとともに、その誘導電流に基づくリップル電圧を外部直流の入力電圧に重畳させた形で出力するステップアップ回路部として構成され、
前記コネクタ部に前記携帯電話のコネクタ部を挿し込むことにより、前記インダクタのスイッチングを担う昇圧ＤＣ・ＤＣ変換用制御ＩＣが前記スイッチング動作を行なう動作状態となる一方、
前記コネクタ部から前記携帯電話のコネクタ部を離脱させたときは、前記昇圧ＤＣ・ＤＣ変換用制御ＩＣが低消費電力のスタンバイモードに切り換わるように構成されている請求項１に記載の携帯電話機用充電器。
【請求項３】
前記カバーには、前記ボディの端部に回動可能に取り付けられる回動部と、前記ボディと係合するための係合部が形成され、前記ボディの端部には、前記カバーの係合部と係合するための被係合部が形成されている請求項１または２に記載の携帯電話機用充電器。
【請求項４】
前記コネクタ部に、前記携帯電話機のコネクタ部を接続して固定するためのストッパー部が形成され、前記ボディに前記ストッパー部による固定を解除するためのストッパー解除ボタンが形成されている請求項１ないし３のいずれか１項に記載の携帯電話機用充電器。
【請求項５】
前記ボディには、前記ソーラーパネルでの発電により前記ボディ内の前記蓄電部に蓄電された蓄電量の目安を表示する充電適否表示用の充電適否表示ＬＥＤと、
その充電適否表示ＬＥＤへの通電をオン・オフする充電適否表示スイッチとが設けられている請求項１ないし４のいずれか１項に記載の携帯電話機用充電器。
【請求項６】
前記照明用の発光素子への通電をオン・オフする前記照明スイッチが、前記電適否表示ＬＥＤへの通電をオン・オフする充電適否表示スイッチと共通スイッチとして兼用されている請求項５に記載の携帯電話機用充電器。
【請求項７】
前記充電適否表示ＬＥＤは前記蓄電部への蓄電が所定値以下の場合に、前記照明スイッチが押されると点灯して携帯電話機への充電が困難であることをユーザに警告するものである請求項６に記載の携帯電話機用充電器。
【請求項８】
前記蓄電部に接続され、前記蓄電部によって蓄電された電気によって点灯する照明用の発光素子である照明ＬＥＤと、充電量の目安を表示する充電適否表示ＬＥＤとを含む照明回路部を備え、前記照明スイッチをオンとすることにより、前記照明ＬＥＤと前記充電適否表示ＬＥＤとに通電が可能な状態とされて前記照明ＬＥＤが点灯し、前記照明スイッチがオンとされている際に前記蓄電部の充電量が十分でない場合には、前記充電適否表示ＬＥＤも通電されてその充電適否表示ＬＥＤが点灯する請求項１ないし７のいずれか１項に記載の携帯電話機用充電器。
【請求項９】
前記蓄電部に接続され、前記蓄電部によって蓄電された電気によって点灯する照明用の発光素子である照明ＬＥＤと、充電量の目安を表示する充電適否表示ＬＥＤとを含む照明回路部を備え、前記照明スイッチをオンとした場合には前記照明ＬＥＤが点灯し、前記蓄電部の充電量が十分でない場合には前記充電適否表示ＬＥＤに通電されてその充電適否表示ＬＥＤが点灯して携帯電話機への充電が困難であることをユーザに警告する請求項１ないし３のいずれか１項に記載の携帯電話機用充電器。
【発明の詳細な説明】
【技術分野】
【０００１】
この発明は、携帯電話機の充電池が消耗したときに携帯電話機に接続されてその充電池に電気を充電する携帯電話機用充電器に関する。
【背景技術】
【０００２】
従来、携帯電話機の充電池が消耗した場合に、定期的に家庭等で携帯電話機に充電して通話できるようにしている。そのような充電器の一種として、ソーラーパネルを備えた太陽光発電で得た電気を、携帯電話機に充電するものが、特許文献１として提案されている。
【０００３】
【特許文献１】特開２００１−３２７０９８号公報
【発明の開示】
【発明が解決しようとする課題】
【０００４】
特許文献１は、コードレスタイプのソーラー型充電器が開示されているが、商用コンセントへの差込みプラグも併用するもので、携帯に適するとは言いにくい。外出先の野外において、携帯電話を充電する必要があることもよく生じるし、災害時には、コンセントへプラグを差し込んで使用する一般的な充電器が停電により使用できないことも生じうる。
【０００５】
そこで本発明の課題は、携帯しやすく、また災害時等にも役立ち、室内や外出先においても容易に充電することのできるソーラー式の携帯電話機用充電器を提供する。
【課題を解決するための手段および発明の効果】
【０００６】
上記課題を解決するための本発明は、携帯電話機の充電池が消耗したときに携帯電話機に接続されて該充電池に電気を充電する携帯電話機用充電器であって、
携帯可能なボディと、
ボディに設けられたソーラー発電用のソーラーパネルと、
ボディに内蔵され、ソーラーパネルで発電された電気を蓄える蓄電部と、
ボディに設けられ、そのボディ内の蓄電部から電力の供給を受けて発光する照明用の発光素子と、
ボディに設けられてその照明用の発光素子への通電をオン・オフする照明スイッチと、
ボディに形成され、携帯電話機のコネクタ部に接続されることによりソーラーパネルで発電されてボディ内の蓄電部に蓄電されている電気を携帯電話機の充電池に充電するコネクタ部と、
コネクタ部を被って閉じられた状態を保持するカバーと、
コネクタ部に携帯電話機のコネクタ部を挿し込むことにより動作状態となり、コネクタ部から携帯電話機のコネクタ部を離脱させたときは、動作状態よりも低消費電流の動作停止状態となるように構成され、蓄電部の電圧を昇圧して出力する昇圧回路部を備え、
コネクタ部を介しての携帯電話機を充電する充電機能と、照明用の発光素子への通電による照明発光機能との両機能を有して、充電器兼携帯ライトの役割を果たすことを特徴とする。
【０００７】
以上の構成によれば、本発明の携帯電話機用充電器は、ソーラーパネルによって発電することができ、この発電された電気を蓄電部によって蓄えることができる。そして、昇圧回路部は、コネクタ部に携帯電話機のコネクタ部を挿し込むことにより動作状態となるように構成され、蓄電部の電圧を昇圧して出力することができる。これにより、蓄電部の電圧を携帯電話機の充電に必要な電圧へ昇圧して、携帯電話機の充電池を充電することができる。また、このコネクタ部は、カバーによって覆うことができるため、充電時以外にはコネクタ部を保護することができる。さらに照明用の発光素子を備えることから、照明としてこの充電器を使用することができる。この照明機能と充電機能は、ソーラーパネルによって発電された電気によって果たされるため、この充電器の動作に電池や商用電源等が不要で携帯にも都合がよい。
【０００８】
昇圧回路部は、インダクタの断続スイッチングに基づいて誘導電流を発生させるとともに、その誘導電流に基づくリップル電圧を外部直流の入力電圧に重畳させた形で出力するステップアップ回路部として構成され、コネクタ部に携帯電話のコネクタ部を挿し込むことにより、インダクタのスイッチングを担う昇圧ＤＣ・ＤＣ変換用制御ＩＣがスイッチング動作を行なう動作状態となる一方、コネクタ部から携帯電話のコネクタ部を離脱させたときは、昇圧ＤＣ・ＤＣ変換用制御ＩＣが低消費電力のスタンバイモードに切り換わるように構成されている。
【０００９】
以上のように昇圧ＤＣ・ＤＣ変換用制御ＩＣを用いることにより、コネクタ部に携帯電話のコネクタ部を挿し込むことにより、インダクタのスイッチングを行わせることができる。そしてステップアップ回路部として昇圧回路部を構成することにより、インダクタの誘導電流による電圧成分を整流・平滑化することによって、携帯電話機を充電するための電圧を昇圧することができる。
【００１０】
ボディの端部には、カバーの係合部と係合するための被係合部が形成されている。カバーの係合部とボディ端部に形成された被係合部により、コネクタ部を覆った状態で、カバーをボディと固定することができる。さらにカバーには、ボディの端部に回動可能に取り付けられるための回動部を有する。
【００１１】
充電器のコネクタ部には、携帯電話機のコネクタ部を接続して固定するためのストッパー部を形成することもできる。この場合、ボディにストッパー部による固定を解除するためのストッパー解除ボタンを形成する。このようなストッパーをコネクタ部に形成することによって、携帯電話機を充電する際に、携帯電話機のコネクタ部と充電器のコネクタ部を確実に固定することができ、充電中に携帯電話機のコネクタ部と充電器のコネクタ部が離脱することを防ぐことができる。
【００１２】
さらにボディには、ソーラーパネルでの発電によりボディ内の蓄電部に蓄電された蓄電量の目安を表示する充電適否表示用の充電適否表示ＬＥＤと、その充電適否表示ＬＥＤへの通電をオン・オフする充電適否表示スイッチとが設けられている。
【００１３】
充電適否表示ＬＥＤにより、蓄電部に蓄電された蓄電量が十分であるかを確認することができる。充電適否表示ＬＥＤは、蓄電部への蓄電が所定値以下の場合に、照明スイッチが押されると点灯して携帯電話機への充電が困難であることをユーザに警告するものである。
【００１４】
照明用の発光素子への通電をオン・オフする照明スイッチが、電適否表示ＬＥＤへの通電をオン・オフする充電適否表示スイッチと共通スイッチとして兼用されているように構成することができる。このように構成することにより、回路構成が単純になるとともに、ボディの外面に表れるスイッチ構成が簡素になる。また部品数の削減により、コスト低減効果が見込める。
【００１５】
携帯電話機用充電器は、蓄電部に接続され、蓄電部によって蓄電された電気によって点灯する照明用の発光素子である照明ＬＥＤと、充電量の目安を表示する充電適否ＬＥＤとを含む照明回路部を備え、照明スイッチをオンとすることにより、照明ＬＥＤと充電適否表示ＬＥＤとに通電が可能な状態とされて照明ＬＥＤが点灯し、照明スイッチがオンとされている際に蓄電部の充電量が十分でない場合には、充電適否ＬＥＤも通電されてその充電適否表示ＬＥＤが点灯するように構成される。
【００１６】
或いは、携帯電話機用充電器は、蓄電部に接続され、蓄電部によって蓄電された電気によって点灯する照明用の発光素子である照明ＬＥＤと、充電量の目安を表示する充電適否ＬＥＤとを含む照明回路部を備え、照明スイッチをオンとした場合には照明ＬＥＤが点灯し、蓄電部の充電量が十分でない場合には充電適否ＬＥＤに通電されてその充電適否表示ＬＥＤが点灯するように構成してもよい。
【発明を実施するための最良の形態】
【００１７】
以下図面を参照しつつ本発明の実施形態について説明する。図１,２に示す携帯電話用充電器１は、携帯電話機の充電池が消耗したときに携帯電話機に接続されて該充電池に電気を充電する携帯電話機用充電器である。図１（ａ）は、カバー１０を閉じた状態、（ｂ）は、カバー１０を開けた状態の正面図である。図２は、携帯電話用充電器１の斜視図である。
【００１８】
この充電器１は、携帯電話機とほぼ同程度の大きさを有する携帯可能なボディ２と、ボディ２の表面のほぼ全面を被うように設けられたソーラー発電用のソーラーパネル３と、ボディ２に内蔵され、ソーラーパネル３で発電された電気を蓄える蓄電池４（図１１参照）と、ボディ２の一端部に設けられ、そのボディ２内の蓄電池４から電力供給を受けて発光する照明用の発光素子５（この例ではＲＧＢ３色の各発光ダイオードを組み合わせて白色光又は白色光に近い光を発光する発光ダイオード（以下、照明ＬＥＤという））と、ボディ２に設けられてその照明用のＬＥＤ５への通電をオン・オフする照明スイッチ（点灯ボタン）６と、ボディ２に形成され、携帯電話機７のコネクタ部８（図３参照）に接続されることにより、ソーラーパネル３で発電されてボディ２内の蓄電池４に蓄電されている電気を、携帯電話機の充電池（図示せず）に充電するコネクタ部９とを備えている。
【００１９】
なお、詳細は回路の説明のところで言及するが、本発明では、携帯電話機で一般的なリチウム二次電池の充電に必要な一定電圧を、ボディ２に内蔵されたステップアップＤＣ・ＤＣ変換回路にて生成するようにしている。ステップアップＤＣ・ＤＣ変換回路には、昇圧ＤＣ・ＤＣ変換用制御ＩＣを使用している。そして、蓄電部４の消耗を抑えるために、コネクタ部９に携帯電話のコネクタ部を挿し込んでない状態では、昇圧ＤＣ・ＤＣ変換用制御ＩＣが超低消費電力のスタンバイモードになり、図３に示すようにコネクタ部９に携帯電話のコネクタ部を挿し込むことによって、昇圧ＤＣ・ＤＣ変換用制御ＩＣが動作を開始するようにしている。
【００２０】
図４は、携帯電話機用充電器１の背面視、図５（ａ）は、右側面図、図５（ｂ）は、左側面図、図６（ａ）は、平面図、図６（ｂ）は、底面図である。ボディ２は図１、図４に示すように、正面視及び背面視で縦長の長方形状（ただし角部はアール（丸み）が付けられている）をなし、また図５、図６に示すように、その横断面における外殻及び厚みは、扁平なほぼ長方形状をなしている。上記コネクタ部９は、ボディ２の照明ＬＥＤ５とは反対側の端部に位置する。
【００２１】
図１〜図４に示すように、ボディ２の側面に設けられた点灯ボタン６は、それらの操作接触面（外面）６ａがボディ２の側面（最外面）から突出しないように、又はその突出量を小さくするように、それぞれボディ２の側面に形成された凹部６ｂ内に収まる形で配置されている。
【００２２】
また図４に示すように、照明ＬＥＤ５は、ボディ２の端面から突出しないように、ボディ２の端面の中央部に形成された半球面状の凹部５ａの中心部に配置され、その照明ＬＥＤ５の先端は、ボディ２の端面とほぼ同一面上か、それより低い位置に引っ込んでおり、それにより照明ＬＥＤ５が保護されている。
【００２３】
図５（ｂ）に示すように、ボディ２の上記カバー１０とは反対側の端部近傍におけるボディ２の側面には、ストラップ掛け１４が形成されている。ストラップ掛け１４は、ボディ２の側面とほぼ同一面上に外面が位置し、その周囲に形成された凹部１４ｂから浮き上がった形態で、ボディ２と一体に樹脂で形成されており、その凹部１４ｂとストラップ掛け１４の間に、ストラップ（ひも部材）１４ａを通して、そのストラップ１４ａで吊り下げてこの充電器１を携帯できるようになっている。カバー１０とは反対側にストラップ掛け１４があることにより、吊下げ状態でカバー１０（その中のコネクタ部９）が下側になって、雨等に対してコネクタ部９が保護されやすくなる。
【００２４】
この充電器１はさらに、図１〜図５に示すように、ボディ２の端部に形成されたコネクタ部９を開閉可能に被うカバー１０を備えている。カバー１０はほぼ半円状をなし、ボディ２の端部に回動可能に取り付けられ、カバー１０が閉じられた状態では、そのカバー２の外面とボディ２の外面とが連なって意匠的に一体となり、かつコネクタ部９がカバー２で被われて保護される。
【００２５】
図７に示すように、カバー１０には、その回動支点である蝶番部２１が設けられている。蝶番部２１は、カバー１０とボディ２とを連結するとともに、カバー１０の回動を可能にする。すなわちカバー１０を指で摘んで回動させることにより、開状態（コネクタ部９が露出した状態）から閉状態（コネクタ部９がカバー１０によって覆われた状態）へ、また閉状態から開状態へと変化させることができる。さらにカバーには、回動支点である蝶番部２１と反対の端部に、カバーを回動させてコネクタ部を覆った場合（閉状態）にカバー１０をボディ２に固定するための突起３１を有した係合部１２が形成されている。またボディ２には、コネクタ側で蝶番部２１の反対側に被係合部１３が形成され、カバーの端辺の係合部１２は、この被係合部１３に嵌る形態で、閉状態において、ボディと密着して固定される（図１（ａ）参照）。
【００２６】
図８にカバーの係合部の変形例を示す。この実施例では、カバー１０’の係合部１２’には、凹部３２が形成されている。そしてボディ２の端部には、凹部３２と係合するための凸部を有する被係合部１３’が形成されている。前述の実施例同様に、カバー１０’を指などで摘んで蝶番部２１を支点に回動させて、係合部１２’と被係合部１３’とを係合させることによりカバー１０’をボディ２に固定することができる。また携帯電話機を充電する場合には、カバー１０’を指などで摘んで蝶番部２１を支点として回動させることによって、カバー１０’を開状態にすることができる。
【００２７】
図９にコネクタ部の別の実施例を示す。この実施例では、コネクタ部９’に携帯電話機のコネクタ部を差し込んだ場合に、このコネクタ部９’と携帯電話機のコネクタ部との結合を固定するためのストッパー部２５が形成されている。そしてこのストッパー部２５には、携帯電話機のコネクタ部を固定するための爪２６が形成されている。このようなコネクタ部９’に携帯電話機７を充電するために、携帯電話機７のコネクタ部８を差し込むことで、携帯電話機７を固定することができる。
【００２８】
さらにボディ２には、コネクタ部９’と携帯電話機７のコネクタ部８との結合を解除するためのストッパー解除ボタン２７が形成されている。図１０を用いてストッパー解除ボタン２７について説明する。ストッパー部２５は、（ａ）に示すように通常時（ストッパー解除ボタン２７が押下されていない時）、爪を含んだ一部がコネクタ部９’の側面から突出している。そしてストッパー部２５は、コネクタ部９’の壁面内に収まった状態と突出した状態とをとることができ、（ｂ）に示すように、指などでストッパー解除ボタン２７を押下することによって、ストッパー部２５をコネクタ部９’内に収めることができる。（ｃ）に示すように携帯電話機７のコネクタ部８に充電器１のコネクタ部９’を挿入することで、ストッパー部２５が押下され、さらに挿入することにより、ストッパー部２５によって、コネクタ部９’と携帯電話機のコネクタ部８とが固定される。そして（ｂ）のようにストッパー解除ボタン２７を指などにより押下することにより、ストッパーを解除することができる。
【００２９】
図１１に示すように、ボディ２の表面に配置されたソーラーパネル３は、太陽光エネルギーを電気エネルギーに変換する光電変換部１６を備えるとともに、その光電変換部１６で得られる電気を蓄える蓄電部としての蓄電池（充電池）４を備え、その蓄電池４からコネクタ部９及び照明ＬＥＤ５に通じる回路が構成されている。蓄電池４から照明ＬＥＤ５に通じる回路には、充電池４から照明ＬＥＤ５への通電をオン・オフする照明スイッチ１７が設けられている。このスイッチ１７を操作する操作部材として前記点灯ボタン６が押下されると、その押下されている間、蓄電池４からの電流で照明ＬＥＤ５が発光（点灯）することとなる。もちろん、点灯ボタン６が１回押されるとその押下状態が解除されても点灯状態を維持し、再度押されると消灯するようにスイッチ１７を構成することもできる。
【００３０】
図１２は、ボディ２の内部に設けられた電気回路１００の詳細図である。電気回路１００は、ステップアップ回路部１００ａ（昇圧回路部）を備えており、ステップアップ昇圧によって、一定の充電電圧を得るようにしている。こうした電気回路１００は、プリント基板を用いて組まれ、そのプリント基板ごとボディ２の内部に配置される。基本的には、ステップアップ回路によって蓄電部４の電源電圧を一定電圧まで昇圧し、照明ＬＥＤ５及び携帯電話機に給電する仕組みが採用されている。
【００３１】
昨今の携帯電話機のほとんどはリチウムイオン二次電池を使用している。リチウムイオン二次電池は、電極材等にもよるが、充電電圧を４．５Ｖ前後とした定電圧充電が一般的である。一方、本発明のような充電器１の蓄電部４には、安全性確保、耐久性、コスト等の総合的観点から、ニッケル水素二次電池の使用が推奨されるが、その起電力は約１．２Ｖと低い。そこで、本実施形態では、単四型のニッケル水素二次電池を直列で繋ぎ、さらに、ステップアップ回路部１００ａ（昇圧回路部）にて昇圧するようにしている。ステップアップ回路部１００ａは、インダクタＬ１（チョークコイル）の分岐直流入力の断続スイッチングに基づいて誘導電流を発生させるとともに、その誘導電流に基づくリップル電圧を外部直流の入力電圧に重畳させた形で出力するものである。この構成によれば、入力電圧レベルが多少変動したり、あるいは比較的大きなリップルが形成されたりしている場合でも、ほとんどその影響を受けることなく一定電圧に変換できる利点がある。
【００３２】
図１２に示すように、ポリスイッチ（過電流過熱保護素子）付きのシリコン単結晶型ソーラーパネル３を採用し、過充電の防止を図っている。コネクタ部９に携帯電話機のコネクタ部を挿し込むことにより、ステップアップ回路部１００ａにおいて、昇圧ＤＣ・ＤＣ変換用制御ＩＣ５１（トレックスセミコンダクター社製ＸＣ６３６８Ｂ）は、トランジスタＴｒ１をスイッチングする。これによりインダクタＬ１（チョークコイル）の分岐直流入力が断続スイッチングされ、これに基づいてインダクタＬ１に誘導電流を発生させるとともに、その誘導電流に基づくリップル電圧が外部直流の入力電圧に重畳された形で出力される。インダクタＬ１の誘導電流による電圧成分は交流波形であり、これを整流・平滑化したときの電圧レベルが、ステップアップによる電圧増分となる。
【００３３】
ダイオードＤ２及び出力経路と並列接続されたコンデンサＣ３，Ｃ４，Ｃ５，Ｃ６は、インダクタＬ１からの出力電圧を整流及び平滑化することにより外部直流よりも昇圧された直流を生成し、これを駆動源直流として出力する。またダイオードＤ２は、スイッチングがオフされるときのインダクタＬ１に向けたフライバック電流を遮断する役割も果たす。また、ダイオードＤ２から、ＤＣ・ＤＣ変換用制御ＩＣ５１のＶＤＤ端子に電源電圧が導かれるようになっている。さらに抵抗Ｒ１，Ｒ２の分岐電圧がＤＣ・ＤＣ変換用制御ＩＣ５１のＦＢ端子にフィードバックされており、蓄電部４の電圧低下が閾値より大きくなったときに昇圧動作停止がなされる。
【００３４】
すなわち昇圧回路部としてのステップアップ回路部１００ａは、充電器１のコネクタ部９に携帯電話機７のコネクタ部８を挿し込むことにより、動作状態となり、昇圧動作を行い、携帯電話機７の充電電圧まで昇圧する。また携帯電話機７のコネクタ部８を充電器１のコネクタ部９から離脱させると、昇圧動作の停止状態（スタンバイモード）となる。このステップアップ回路部１００ａにより、蓄電部４の電圧よりも高い電圧を携帯電話機の充電池に供給することができる。
【００３５】
また、電気回路１００は、照明ＬＥＤ５及び充電適否表示用ＬＥＤ２３、並びにそれらをオン・オフするためのスイッチＳＷ１を含む照明回路部１００ｂを有する。照明回路部１００ｂには、照明ＬＥＤ５と充電適否表示用ＬＥＤ２３と、それらをオン・オフするスイッチＳＷ１が設けられ、充電適否表示用ＬＥＤ２３を制御する回路がトランジスタＴｒ２，Ｔｒ３，Ｔｒ４、抵抗Ｒ３〜Ｒ１１及びコンデンサＣ７によって構成されている。
【００３６】
照明回路部１００ｂは、スイッチＳＷ１（操作部１２）をオンしたとき、蓄電部４の蓄電量が十分であれば照明ＬＥＤ５のみが点灯し、蓄電部４の蓄電量が不足しているときには照明ＬＥＤ５及び充電適否表示用ＬＥＤ２３が点灯するように構成されている。照明ＬＥＤ５と充電適否表示用ＬＥＤ２３とは、蓄電部４に並列に接続されている。充電適否表示用ＬＥＤ２３側の通電経路には、トランジスタＴｒ４が配置されている。このトランジスタＴｒ４は、蓄電部４の電圧が閾値以下となった場合にオンする。したがって、蓄電部４の蓄電量が十分なときは、スイッチＳＷ１をオンしても照明ＬＥＤ５のみが点灯する。他方、蓄電部４の蓄電量が不足してくると、トランジスタＴｒ４がオンして充電適否表示用ＬＥＤ２３側にも電気が流れるようになるので、スイッチＳＷ１をオンすると、照明ＬＥＤ５と充電適否表示用ＬＥＤ２３の両方が点灯する。これにより、ユーザは蓄電部４の蓄電量が不足していることを、照明ＬＥＤ５の点灯操作によって知ることができる。また、製造側の利点として、充電適否表示用ＬＥＤ２３に専用のスイッチを設けずに済むので、部品点数削減によるコスト低減効果を見込める。
【００３７】
トランジスタＴｒ４自身のオン・オフは、蓄電部４の電圧をモニタする抵抗Ｒ７，Ｒ６及びトランジスタＴｒ３によって制御される。すなわち、蓄電部４の直流電圧がインダクタＬ１より上流で分岐されて照明回路部１００ｂに導かれ、抵抗Ｒ７と抵抗Ｒ６に流れる。トランジスタＴｒ３のベースには、抵抗Ｒ７と抵抗Ｒ６の分圧が印加されるので、抵抗Ｒ７と抵抗Ｒ６の大きさを適切に定めることにより、蓄電部４の蓄電量をモニタできる。たとえば、図１２の実施形態では、蓄電部４としてニッケル水素二次電池（直列接続により２．４Ｖ）、トランジスタＴｒ３としてカットオフが０．５Ｖ〜０．６Ｖ程度のシリコントランジスタを使用している。そして、蓄電部４の電圧が満充電の約６０％に低下することによって、トランジスタＴｒ３がオフ、トランジスタＴｒ４がオンになって、スイッチＳＷ１をオンしたときに充電適否表示用ＬＥＤ２３が点灯可能となるように、抵抗Ｒ７，Ｒ６の大きさを調整している。
【００３８】
また、蓄電部４の起電力が低下してトランジスタＴｒ３がいったんオフすると、トランジスタＴｒ２がオンに切り替わり、抵抗Ｒ５を介してトランジスタＴｒ６のベースが接地される。そのため、蓄電部４の電圧が多少上昇したとしても、トランジスタＴｒ３はしばらくオフに維持されて、充電適否表示用ＬＥＤ２３は点灯し得る。すなわち、照明回路部１００ｂはヒステリシス特性を有する。具体的には、充電適否表示用ＬＥＤ２３の点灯が許容される閾値電圧まで蓄電部４の起電力が低下した状態から、ソーラーパネル３に光を照射してその蓄電部４の蓄電を行なった場合に、蓄電部４の起電力が上記した閾値電圧よりも一定値以上高くなるまで、充電適否表示用ＬＥＤ２３が点灯し得る状態が続くように構成されている。ユーザは、充電適否表示用ＬＥＤ２３が点灯するか否かを見て、点灯しなければ携帯電話機の充電を行なう。したがって、本発明のような回路によれば、蓄電部４の蓄電量が不十分な状態で携帯電話機の充電が行なわれることを防ぐことができる。このことは、蓄電部４の劣化防止に寄与する。なお、コンデンサＣ７はノイズ除去の役割を担うものである。
【００３９】
以上のようなソーラー式の充電器１は、常に携帯することができ、太陽光等の光に当てておけば、自然に発電されてその電気が蓄電部４に蓄電される。そして携帯電話機の充電が必要になった場合、図３に示すように、カバー１０を開けて充電器１と携帯電話機７とを接続すれば、この充電器１の蓄電部４に蓄電されている電気が、コネクタ部９を経て、携帯電話機７の図示しない充電池に、両者の電位差に基づき簡単に充電される。最近の携帯電話機７は、様々な付加機能（例えばバイブレータ、時間設定アラーム、動画表示、デジタルカメラ等）により相当の電力を消費し、その充電池の消耗（バッテリー切れ）も早い傾向があるが、この充電器１を携帯していれば、特に電源がなくとも、太陽発電によりいつでも、どこでも携帯電話機に充電ができ、安心感がある。
【００４０】
そして携帯電話機７への充電が終われば、充電器１のコネクタ部９を携帯電話機７のコネクタ部８から抜き、そのカバー１０を閉じて突起３１を有する係合部１２（図７参照）で、被係合部１３にロックされるようにし（閉位置とする）、コネクタ部９が露出しないように保護する。
【００４１】
そして夜間や暗所で明かりが欲しい時には、この充電器１の照明ボタン６を押せば、図１１のスイッチ１７が閉じ（オンとなり）、照明ＬＥＤ５が点灯する。つまり、この充電器１を携帯ライトとして使用することができる。例えば、突発的に起こる災害時の暗闇の中で、非常用携帯照ライトとして、避難路を捜したり、他人を救出したり、また携帯電話機との関係では、暗闇の中のどこかにある携帯電話機を捜すことに用いたりすることができる。なお、照明ＬＥＤ５として、その直列抵抗で発熱消費される電力を低減して、照明に使用される電力を増大する（照明効果を向上する）ために、ＬＥＤチップを直列に多段接続したスタックＬＥＤを使用してもよい。
【００４２】
この照明ＬＥＤ５は、この充電器１の蓄電池４を電源とするため、その蓄電池４の電圧が所定の下限値より下がれば、発光ダイオードの機能として発光しなくなる（発光がかなり暗くなることも含め）。つまり、点灯ボタン６を押しても照明ＬＥＤ５が発光しないのであるが、このことを利用すれば、携帯電話機に充電する前に、点灯ボタン６を押して、照明ＬＥＤ５が点灯しない状態を、充電器１の蓄電が不充分とする警告表示とすることができる。言い換えれば、携帯電話機に対する充電が不適と判断されたこととなり、その場合はこの充電器１を太陽光等に当てて蓄電し、点灯ボタン６を押して照明ＬＥＤ５が点灯すれば、携帯電話機への充電が可能状態にあると判断することができる。この場合の照明ＬＥＤ（発光素子）５は、照明のための光源と、充電可能か否かを表示する充電可否表示部との双方の機能を果たす相乗効果が得られる。
【００４３】
さらにボディ２にはソーラーパネル３での発電によりボディ３内の蓄電池４に蓄電された蓄電量の目安を表示する充電適否表示用の発光素子が設けられ、さらにボディ２に、その充電適否表示用の発光素子への通電をオン・オフする充電適否表示スイッチが照明ＬＥＤ５用スイッチと兼用で設けられている。
【００４４】
すなわち、図１２の回路図に示すごとく、充電適否表示用ＬＥＤ２３を照明ＬＥＤ５とともに設けるとともに、その充電適否表示用ＬＥＤ２３のオン・オフを切り替えるスイッチを、照明ＬＥＤ５をオン・オフするスイッチＳ１に兼用させることができる。すなわち、操作部１２を押下すると、スイッチＳ１がオンして照明ＬＥＤ５と充電適否表示用ＬＥＤ２３との両方が点灯する。
【００４５】
一方、蓄電部４の電圧が低下してくると、照明ＬＥＤ５が充電適否表示用ＬＥＤ２３よりも先に点灯しなくなる。図１２の回路図に示す抵抗Ｒ４，Ｒ５、ダイオードＤ４は、その調整用途として設けられる。充電適否表示用ＬＥＤ２３は、発光電圧（順方向電圧ＶＦ）が照明ＬＥＤ５より低い規格のものであって、照明ＬＥＤ５が例えば白色系とすれば、赤色系や緑色系のものが選択される。照明用と充電適否表示用とで、ＬＥＤの発光色が異なることにより、警告表示の意味合いを強めることができる。
【００４６】
また、スイッチ１７は、照明ＬＥＤ５を点灯させるスイッチと、充電適否ＬＥＤ２３を点灯させるスイッチとの共通スイッチとされ、前述のボディ２にある点灯ボタン６が押されることにより、その共通スイッチが閉じて、照明ＬＥＤ５の点灯又は充電適否ＬＥＤ２３の点灯のいずれかの状態が得られる。したがって、スイッチもその操作ボタンも最小限（１個ずつ）で足り、回路構成が単純になるとともに、ボディ２の外面に表れるスイッチ構成が簡素になり、設計の自由度が増すとともに、外観形態がスマートなものとなる。
【００４７】
別の実施例として、充電適否表示用ＬＥＤ２３をスイッチＳＷ１（図１２参照）に接続しないように構成してもよい。すなわち、スイッチＳＷ１のオン・オフにかかわらず、蓄電部４の蓄電量が不十分であれば、充電適否表示用ＬＥＤ２３が自動的に点灯して、ユーザに蓄電量が不足していることを警告するように形成することもできる。さらに別の実施例としては、充電適否表示用ＬＥＤ２３をスイッチＳＷ１に接続せずに、充電適否表示用ＬＥＤ用のスイッチを設けて、このスイッチをオンとすることにより、蓄電部４の蓄電量が不十分であれば、充電適否表示用ＬＥＤ２３が点灯して、ユーザに蓄電量が不足していることを警告するように形成してもよい。
【００４８】
以上のように、この充電器１は、ソーラーパネル３で発電されてボディ２内の蓄電池４に蓄電された電気により、コネクタ部９を介しての携帯電話機への充電機能と、照明ＬＥＤ５への通電による照明発光機能との両機能を有して、充電器兼携帯ライトの役割を果たす。そしてこのような携帯電話機用充電器は、携帯が容易であり、太陽光により充電されるため、野外や外出先で利用することも可能である。さらに災害などによる停電時にも利用可能であり、携帯電話機を充電する役割とともに、照明の役割も有する。
【図面の簡単な説明】
【００４９】
【図１】この発明の一実施例である携帯電話機用充電器の正面図。
【図２】図１の携帯電話機用充電器の斜視図。
【図３】携帯電話機用充電器の携帯電話機への接続状態を示す説明図。
【図４】携帯電話機用充電器の背面図。
【図５】携帯電話機用充電器の側面図。
【図６】携帯電話機用充電器の平面図と底面図。
【図７】携帯電話機用充電器のカバーを示す説明図。
【図８】カバーの変形例。
【図９】携帯電話機用充電器のコネクタ部のストッパーを示す説明図。
【図１０】ストッパーについて説明するための図。
【図１１】この充電器の回路構成を簡略に示すブロック図。
【図１２】図１１をさらに詳しく示す回路図。
【符号の説明】
【００５０】
１    携帯電話機用充電器
２    ボディ
３    ソーラーパネル
４    蓄電池
５    照明ＬＥＤ（照明用発光素子）
６    点灯ボタン
７    携帯電話機
９    コネクタ部
１０    カバー
１２    係合部
１３    被係合部
２１    蝶番部
２３    充電適否ＬＥＤ
２５    ストッパー部
２７    ストッパー解除ボタン
【図１】
2006141083.tif 000003
【図２】
2006141083.tif 000004
【図３】
2006141083.tif 000005
【図４】
2006141083.tif 000006
【図５】
2006141083.tif 000007
【図６】
2006141083.tif 000008
【図７】
2006141083.tif 000009
【図８】
2006141083.tif 000010
【図９】
2006141083.tif 000011
【図１０】
2006141083.tif 000012
【図１１】
2006141083.tif 000013
【図１２】
2006141083.tif 000014